(57)【要約】【課題】  患者の脊椎関節および／または脊柱筋肉組織の治療的処置用のデバイスであって、主に脊椎関節の可動化および脊椎傍筋肉組織を標的とした深部組織マッサージに使用され、個別の処置に合わせてデバイス設定を調整することによって実現し得る異なる効果を有するデバイスを提供すること。【解決手段】  上記に記載されるタイプの本発明によるデバイスは基本的に、Ｘ−Ｙ面に広がるベースプレート（１）と、患者の体格および／または患者への処置によって変えることができ、かつ、方向Ｚに伸びる、互いからの距離を隔てて、ベースプレート（１）の頂部（６）上に事前配置されたマッサージスタッド（２）とを備え、ベースプレート（１）から外方に向くマッサージスタッド（２）の端部分が、患者の背中を支持し、マッサージスタッド（２）から離れるベースプレート（１）の底部（７）が、支持面上に置かれる、または立て掛けるように設計される。【選択図】      図２
2010104782.tif 000002
【特許請求の範囲】
【請求項１】
脊椎関節および／または脊柱の筋肉組織の治療的処置用のデバイスであって、
−  Ｘ−Ｙ面に広がるベースプレート（１）と、
−  患者の体格および所望の処置によって変更可能、かつ、方向Ｚに伸びる互いからの距離を隔てて、前記ベースプレート（１）の頂部（６）上に事前配置されたマッサージスタッド（２）とを備え、これによって、
−  前記ベースプレート（１）から外方に向く前記マッサージスタッド（２）の端部分が、患者の背中を支持するデバイス。
【請求項２】
前記ベースプレート（１）から外方に向く前記マッサージスタッド（２）の端部分が、丸められることを特徴とする、請求項１に記載のデバイス。
【請求項３】
Ｘ−Ｙ面に平行な前記マッサージスタッド（２）が、円形の断面を有し、さらに、前記ベースプレート（１）が、円形のくぼみ（５）を有し、これによって、
−  基本的に遊びなしで前記くぼみ（５）のそれぞれにマッサージスタッド（２）を挿入することができ、
−  前記くぼみ（５）の中に挿入されるべきマッサージスタッド（２）の数と、
−  前記マッサージスタッド（２）が挿入されるべき前記ベースプレート（１）上のくぼみ（５）の位置と、
−  患者の背中を支持し、前記ベースプレート（１）の頂部（６）から挿入される前記マッサージスタッド（２）の端部分の高さ（ｈ）とが、患者の体格および所望の特定の処置によって決定されることを特徴とする、請求項１または２に記載のデバイス。
【請求項４】
前記ベースプレート（１）が、ＸおよびＹの両方向で２００ｍｍの大きさであり、方向Ｚにおける厚さが１５ｍｍであり、
前記マッサージスタッド（２）が、１８ｍｍから２２ｍｍの距離（ｄ）を有し、前記ベースプレート（１）の頂部（６）からの高さが、２５ｍｍから５０ｍｍの範囲であることを特徴とする、請求項１乃至３のいずれか１項に記載のデバイス。
【請求項５】
前記ベースプレート（１）が、Ｘ−Ｙ面に沿って２００ｍｍ×２００ｍｍの大きさであり、さらに、マッサージスタッド（２）を挿入することができる１６個のくぼみ（５）を有し、これらくぼみ（５）は常に互いに同一の距離を隔てて配置されることを特徴とする、請求項４に記載のデバイス。
【請求項６】
前記ベースプレート（１）および前記マッサージスタッド（２）が、木製またはプラスチック製であることを特徴とする、請求項１乃至５のいずれか１項に記載のデバイス。
【請求項７】
前記マッサージスタッド（２）が、２つの部分に分けられ、前記ベースプレート（１）の方を向き、かつ、少なくとも部分的に前記くぼみ（５）の１つに挿入される前記マッサージスタッド（２）の部分が、患者の方を向く前記マッサージスタッド（２）の他の部分のプラスチックよりも硬質なプラスチックで作製されることを特徴とする、請求項６に記載のデバイス。
【請求項８】
前記ベースプレート（１）と支持面との間に一定の角度をなすように設計されたスペーサ（９）が、前記ベースプレート（１）の底部（７）に嵌合することを特徴とする、請求項１乃至７のいずれか１項に記載のデバイス。
【請求項９】
前記ベースプレート（１）の底部（７）と支持面との間に形成される傾斜角αが、可変であるように、前記スペーサ（９）が設計されることを特徴とする、請求項８に記載のデバイス。
【発明の詳細な説明】
【技術分野】
【０００１】
本明細書で言及される発明は、脊椎関節および／または脊柱の筋肉組織の治療的処置用のデバイスである。これは主に、脊椎関節の可動化、および脊椎傍筋肉組織の局所化した深部組織マッサージを目的として設計され、個々の患者および患者への処置に合わせてデバイス設定を調整することによって実現し得る異なる効果を有する。
【背景技術】
【０００２】
市場には既に、いくつかの脊柱およびそれに関連する筋肉組織を治療するための治療デバイスがある。これらは、あらゆる種類の球体およびボール、ならびに患者の下に配置されるローラデバイスを含むが、筋肉を刺激する際に目的とされる局所化した深部組織効果を有しない。さらに、このようなデバイスでは、脊柱の分節的可動化は、個々の分節を標的とせず、複数の分節を標的とするのみであり、これは、存在する椎骨群の中の複数の椎骨の内の１つのみが可動化され、そこから離れた椎骨対は可動化することができないことを意味する。
【０００３】
別のよく知られたデバイス、例えば、特許文献１に記載される、２つの長尺状の平行な膨らみ部分で構成された脊柱を処置するための治療補助具などの可動化くさびは、個々の分節を可動化することはできるが、回旋には適さず、すなわち屈曲および伸展動作以外には適しておらず、離れた椎骨対を回旋式に可動化するための手段を持たない。このデバイスは、局所化した筋肉刺激をもたらすことも不可能である。
【０００４】
他のよく知られたデバイス、例えば、特許文献２に記載される背中用の伸展および加圧マッサージデバイスは主に、脊柱の一部を「正常な状態に整える」ように機能する。
これらの既存のデバイスはいずれも、個々のおよび複数の脊柱分節の対称的な可動化と非対称的な可動化を兼ねた手段、または脊椎傍筋肉組織の局所化した深部組織マッサージ手段を提示するものではない。既存のデバイスでは、使用の際の大きさ、可動性および汎用性、他の治療用デバイスとの併用、ならびに従来型の医療上の治療および予防での適用は、不可能である、あるいは限定された範囲でのみ可能である。
【先行技術文献】
【特許文献】
【０００５】
【特許文献１】独国実用新案第２９７０７５１５号明細書
【特許文献２】独国特許第１０３２８０４１号明細書
【発明の概要】
【発明が解決しようとする課題】
【０００６】
したがって、本発明は、この技術格差を埋め、特に、個々のおよび複数の脊柱分節の改良された対称的および非対称的な可動化、さらに局所化した深部マッサージを可能にする機械的デバイスを開発することを目的とする。
【課題を解決するための手段】
【０００７】
この目的は、
−  Ｘ−Ｙ面に広がるベースプレートと、
−  ベースプレートの頂部上に事前配置されたマッサージスタッドとを備え、患者の体格および所望の処置によって、方向Ｚに伸びるこれらの間の距離を変えることができ、ベースプレートから外方に向くマッサージスタッドの端部分が、患者の背中を支持して、さらに、マッサージスタッドから離れるベースプレートの底部が、支持面上に置かれるように設計される、本発明によるデバイスを使用して解決される。
【０００８】
本発明によるデバイスの好ましい実施形態において、Ｘ−Ｙ面に平行なマッサージスタッドは、円形の断面を有し、ベースプレートは、基本的に遊びなしで各マッサージスタッドを挿入することができる円形のくぼみを有する。この実施形態において、以下の要素は所望する処置によって決定される。
−  ベースプレートのくぼみに挿入されるマッサージスタッドの数；
−  くぼみの選択、したがって、ベースプレート上でマッサージスタッドが挿入されるべき場所の選択；
−  挿入されたマッサージスタッドのベースプレートを超える端部分の高さ。
【０００９】
患者の背中を支持することを目的とするマッサージスタッドの端部分は、好ましくは丸みを付けられるべきである。
特定の実施形態において、ベースプレートは、ＸおよびＹの両方向において２００ｍｍの大きさであり、方向Ｚの厚さは１５ｍｍである。マッサージスタッドは好ましくは、１８ｍｍから２２ｍｍの直径であり、ベースプレートの頂部からの高さは２０ｍｍから５０ｍｍの範囲である。
【００１０】
Ｘ−Ｙ面に沿って２００ｍｍ×２００ｍｍの大きさであるこの種のベースプレートに関して、例えば、記載される方法に従ってマッサージスタッドと嵌合される１６個のくぼみが設けられる。くぼみは、互いから同一の距離だけ離れる必要がある。
【００１１】
好ましい実施形態において、ベースプレートおよびマッサージスタッドは、木製またはプラスチック製である。しかしながら、本発明の範囲内で他の材料を使用することも許容されている。
【００１２】
本発明の別の必須要素は、その材料の特性に関して２つの部分に分けられるようにマッサージスタッドを設計することであり、これにより、ベースプレートの方を向き、かつ、少なくとも部分的にくぼみの１つに挿入されるマッサージスタッドの部分は、患者の方を向くマッサージスタッドの他の部分のプラスチックよりもより硬質なプラスチックで作製される。
【００１３】
ベースプレートの底部は、ベースプレートと支持面との間に一定の角度を設定するように設計されたスペーサと嵌合され得る。これにより、ベースプレートの底部と支持面との間に形成される傾斜角が可変であるようにスペーサを設計することができる。
【００１４】
本発明によるデバイスにより、様々な方向に動くように脊柱を可動化することが可能になる。これは、単一の椎骨対にも、また複数の椎骨対を一緒にする場合にも適用される。これはまた、脊椎傍筋肉組織の局所化した深部組織マッサージを可能にする。これらの作用は、デバイス固有の特性によって可能である。既に記載された調節の実現性を含めたこれらの特徴により、本発明によるデバイスは現在の技術を卓越することができる。
【００１５】
このデバイスの重要な利点としては、その寸法が比較的小さいために、他者からの補助なしでほぼどのような場所にも運んで使用することができる点である。使用される材料およびその特有の設計により、適切に保持されるならば、それは衛生的であり、複数の人間が安全に使用することができる。
【００１６】
本発明によるデバイスの利点としては、他の治療用訓練器具、例えば、多機能ベンチの上のレールシステム、あるいは電気療法デバイスと併用して処置を行うことができる点である。
【００１７】
このデバイスは、医師、理学療法士、マッサージ師、医療以外の専門家およびスポーツ治療専門家などの治療の専門家、さらに、患者または予防医術を自分自身に実施する人など医療の訓練を受けていない人の両者によって使用され得る。用途の範囲は、個人治療から集団治療に及ぶ。
【００１８】
適用例を使用して本発明を以下にさらに詳細に説明する。関連する図面は以下を記載する。
【図面の簡単な説明】
【００１９】
【図１】マッサージスタッドを含む本発明によるデバイスを示す上面図。
【図２】図１の部分ＡＡに沿った本発明によるデバイスを示す断面図。
【図３】個々のマッサージスタッドを示す図。
【図４】水平面上での本発明によるデバイスの傾斜した配置、または垂直壁に傾斜して装着される用途の一例を示す図。
【図５】本発明によるデバイスの他の有益な用途を示す図。
【発明を実施するための形態】
【００２０】
図１は、本発明によるデバイスの上面図を示し、主にベースプレート１およびマッサージスタッド２を表している。ここでは例として全部で１６個のマッサージスタッドが、点線の輪郭３によって線引きされた領域４内でベースプレート１の中に挿入されており、マッサージスタッド２間の距離は同一である。
【００２１】
この特定の実施形態において、ベースプレート１は、デカルト座標系Ｘ、Ｙ、Ｚにおいて、ＸおよびＹの方向に２００ｍｍの大きさである。ベースプレート１の方向Ｚにおける厚さは、この実施形態で使用するためには１５ｍｍである。
【００２２】
マッサージスタッド２を含む領域４は、ＸおよびＹの両方向でおよそ１４０ｍｍの大きさである。この領域は、方向Ｘから見たときに、ベースプレート上の中央に位置し、方向Ｙからでは、ベースプレートの中心からずれているように見え、これによって、ベースプレート１のそれぞれの外側縁部までの距離は、およそ２：１の比である。このＹ方向に偏倚した配置の利点は、図４および図５を使用して以下でさらに詳細に説明する。
【００２３】
Ｘ−Ｙ面に沿って、マッサージスタッド２は、例えば２０．５ｍｍの直径ｄを有し、２つの隣接するマッサージスタッド２間の距離は、この例では１９．５ｍｍである。
これらの特定の寸法は、本発明によるデバイスの有利な実施形態を考慮し得るものにのみ関するものであり、本発明は、これら特定の計測値に限定されない。
【００２４】
図２は、図１に示される本発明によるデバイスの部分ＡＡの側面図である。ここでは、マッサージスタッド２が、ベースプレート１の頂部６にあるくぼみ５に挿入される状態を確認することができる。マッサージスタッド２が基本的に遊びなしでくぼみ５の中で保持されるように、くぼみ５の直径は、マッサージスタッド２の直径ｄに関連して設計される。くぼみ５の深さは、およそ１０ｍｍである。
【００２５】
図２はまた、マッサージスタッド２が様々な高さからなり、くぼみ５が同一の深さを有することを示す。これは、マッサージスタッド２が、実施形態によって、変化する高さｈだけベースプレート１の頂部６を越えて突出することを意味する。ベースプレートの頂部６から外方へ向いて、患者の背中に当たるように意図されたマッサージスタッド２の部分は、丸められる。
【００２６】
図１および図２は、本発明によるデバイスの有意な利点を明確に示しており、マッサージスタッド２は、特定の処置に適応するために、その高さｈによって様々な位置でベースプレート１上に挿入することができる。患者の背中は、例えば、背中の筋肉および横突起で、患者の体重を支えるマッサージスタッド２に支持される一方で、脊柱の棘突起は、マッサージスタッド２間の空間内に配置される。原則的に、１６個のマッサージスタッド２が、集中する患者の体重を脊柱の分節全体に分散させる。
【００２７】
ベースプレートに対する患者の位置は、腰椎から胸椎まで変えることができる。
ベースプレート１上のマッサージスタッド２の数および位置は、処置される人および行われる処置に合わせることができる。使用されるマッサージスタッド２の数をより少なくし、残りのマッサージスタッド２とそれらの上に載る身体組織との間の圧力をより大きくすることは、残りのマッサージスタッド２の配置によって、より狭い身体領域が選択的に処置されることを意味する。身体の個々の部分に対する圧力は、患者の骨盤および／または上半身を移動させることによって変えることもできる。
【００２８】
したがって、ベースプレート１内に挿入されるマッサージスタッド２の数および位置を、これに応じた患者の体の移動と併せて考慮することによって、以下のことが可能となる。
−  椎体を屈曲しやすくする。この場合、椎体の横突起は、方向Ｘで２つの隣接するマッサージスタッド２の上に配置されると共に、噴門近くに位置する椎体が曝されて、上半身を屈曲する動作によって可動化される。これにより、分岐という意味において、噴門近くに位置する椎体が支持下方椎体から分離される。
−  椎体を伸張しやすくする。この場合、椎体の横突起が、方向Ｘで２つの隣接するマッサージスタッド２の上に配置されると共に、噴門近くに位置する椎体が露出して、上半身の中立位置または伸張動作（地面にかかる圧力）によって可動化される。これにより、収束という意味において、自由な椎体が、支持下方椎体の上に移動する。
−  椎体を回旋しやすくする。この場合、２つの隣接する椎体の対向する横突起は、対角線上に隣接する２つのマッサージスタッド２の上に配置され、患者の上半身の圧力が、これらの椎骨を回旋するように動かす。
【００２９】
同時に、深い摩擦／マッサージが生じ、高度の代謝促進と共に脊椎傍筋肉組織の神経と筋肉が始動する。この作用はまた、上半身および骨盤を動かすことによって強化される。
本発明によるデバイスは、重力方向に対するその位置に関連して様々な形態で適用することができる。したがって、ベースプレート１の底部７を平坦な垂直壁の面８に立て掛けることも可能である。底部７はまた、重力の方向に対してほぼ直角に配置された面８、例えば床、体操用マットまたは診察台などの上に載せることも可能である。
【００３０】
図３は、個々のマッサージスタッド２を示す。マッサージスタッド２の高さＨは、例として、３１ｍｍ、３８ｍｍおよび４５ｍｍである。高さＨが異なることにより、ベースプレート１からの高さｈは、線引きされた領域４内でのその配置と所望する処置の両方によって変化する。
【００３１】
図４は、ベースプレート１の底部７と、面８、例えば、壁または床との間に角度αが存在する本発明によるデバイスの用途を示す。角度αの大きさは好ましくは、底部７から突出する２つのスペーサ９によって決められる。スペーサ９は、マッサージスタッド２と同様の設計を有してよく、ベースプレート１の底部７上のくぼみの中に挿入される。当然のことながら、底部７に対して折り曲げることができるヒンジによって装着されたスペーサなど（図示なし）、本発明の範囲内の他の任意のスペーサの設計を使用することもできる。
【００３２】
図５は、ベースプレート１およびマッサージスタッド２を備える本発明によるデバイスの別の上面図を示す。ここでは、Ｙ方向から見てベースプレート１の上部に、例えば、中にコードを通すことができる穴１０がドリル穿孔され、垂直の壁にデバイスを掛けることが可能になる。またここでは、ベースプレート１の底部７内に形成されたくぼみが点線で示され、これはスペーサ９を保持するのに使用される（図４を参照）。
【００３３】
ベースプレート１およびマッサージスタッド２は好ましくは、プラスチック製である。本発明によるデバイスのさらなる実施形態は、以下の特徴の１つまたは複数を含んでよい。
−  マッサージスタッド２は、中空であり、残っている壁の厚さは少なくとも、マッサージスタッド２の安定性を保証するのに必要な最小限の厚さでなければならない。
−  ベースプレート１およびマッサージスタッド２は、異なる色である。
−  デバイスは、マッサージスタッド２を同様に、またはさらには排他的に、フックアンドパイル、磁石、またはさねはぎ継ぎなどの留め具、あるいは同様のものを使用してベースプレート１に接続することができるように設計される。
−  マッサージスタッド２を円形のくぼみ５の中にロック固定することはできないが、互いに平行な溝と直角に伸びる溝で構成されたシステムの中で四方に動かされ、ベースプレート１上の様々な位置で所定の場所にロック固定することができる。
【００３４】
本発明によるデバイスに関する別の可能性は、マッサージスタッド２が点電極として設計されることを特徴とする電気療法用途に組み込まれることである。
【符号の説明】
【００３５】
１  ベースプレート
２  マッサージスタッド
３  線
４  線引きされた領域
５  くぼみ
６  ベースプレートの頂部
７  ベースプレートの底部
８  壁の表面
９  スペーサ
１０  ドリルホール
α  傾斜角
ｄ  直径
ｈ  ベースプレートからのマッサージスタッドの高さ
Ｈ  マッサージスタッド全体の高さ
Ｘ、Ｙ、Ｚ  座標方向
【図１】
2010104782.tif 000003
【図２】
2010104782.tif 000004
【図３】
2010104782.tif 000005
【図４】
2010104782.tif 000006
【図５】
2010104782.tif 000007